(57)【要約】【課題】  搬送方向における長さが同じ写真プリントを写真処理する場合であると、搬送方向における長さが異なる写真プリントを混在させて写真処理する場合であるとを問わず、振り分け列数に相当する枚数単位で写真プリントの仕分け処理が確実に可能となり、そのため、高い効率（写真プリントの生産効率）を実現することができる写真処理装置を提供することを課題とする。【解決手段】  本発明は、振り分け順位第１位の列における感光材料の後端がそれ以外の列における感光材料の後端よりも搬送方向で上流側に位置する場合とそうでない場合とに分けて、振り分け順位第１位の列において後続することとなる感光材料の振り分け制御方法を異ならせる。【選択図】  図６
2006337467.tif 000002
【特許請求の範囲】
【請求項１】
感光材料を露光処理する露光処理部と、露光処理された感光材料を複数列に振り分ける振り分け部と、振り分けられた感光材料を並列搬送しつつ現像処理する現像処理部と、現像処理されて排出口から排出される感光材料を受け取って集積部に移送する移送部とを備える写真処理装置において、
振り分け順位第１位の列における感光材料の後端がそれ以外の列における感光材料の後端よりも搬送方向で上流側に位置する場合、振り分け順位第１位の列において後続することとなる感光材料は、同列において先行する前記感光材料との間隔が所定の間隔となるよう振り分け制御される一方、
振り分け順位第１位の列における感光材料の後端がそれ以外の列における感光材料の後端よりも搬送方向で下流側に位置する場合、振り分け順位第１位の列において後続することとなる感光材料は、後端が最も上流側に位置する列における感光材料に対して所定の重なり量となるよう振り分け制御されることを特徴とする写真処理装置。
【請求項２】
振り分け順位第１位以外の列において後続することとなる感光材料は、振り分け部が有する機能の範囲内での最短時間を以って振り分け制御されることを特徴とする請求項１に記載の写真処理装置。
【発明の詳細な説明】
【技術分野】
【０００１】
本発明は、写真処理装置に関し、より詳しくは、露光処理を終えて画像毎に切断した感光材料、あるいは予め所定長さに切断して露光処理を施した感光材料を複数列に振り分けて並列搬送しつつ現像処理する写真処理装置に関する。
【背景技術】
【０００２】
図７は、写真処理装置の外観図、図８は、写真処理装置の内部構成図を示す。図８に示す如く、写真処理装置は、露光処理部としての露光処理ユニットを主として収容するプリンタ部Ａ、現像処理部としての現像処理ユニットを主として収容するプロセッサ部Ｃ、及び両者を繋ぐ連結部Ｂ（但し、プリンタ部Ａ、連結部Ｂ及びプロセッサ部Ｃは、同一筐体である）とを備えている。
【０００３】
プリンタ部Ａは、長尺の感光材料Ｐをロール状に巻回したものを回転可能に収容するマガジン２と、該マガジン２から引き出された感光材料Ｐをカッター３で所定の長さに切断した後、水平方向に搬送する搬送ユニット４と、該搬送ユニット４から受け取った感光材料Ｐを副走査方向に搬送しながら走査露光する露光処理ユニット５とを備えている。
【０００４】
前記露光処理ユニット５は、Ｒ，Ｇ，Ｂ各色に対応する波長のレーザー光のビームをポリゴンミラーを介して主走査方向に照射する露光ヘッド６と、該露光ヘッド６の露光ポイント７を挟んで上流側と下流側に配置された合計２対の副走査用ローラ対８，８とを有する。２対の副走査用ローラ対８，８は、いずれも感光材料Ｐを挟持した挟持姿勢と、上下方向に離間する方向に僅かに相対移動して挟持姿勢を解除した解除姿勢との間で切替可能に構成されている。
【０００５】
連結部Ｂは、露光処理ユニット５から露光処理を終えて搬出される感光材料Ｐを順次受け取り、感光材料Ｐを左右交互（２列＝２レーン）に振り分けてプロセッサ部Ｃに送り込む振り分け部としての振り分け搬送ユニット１０を備えている。
【０００６】
プロセッサ部Ｃは、露光された感光材料Ｐを並列搬送しつつ、現像、漂白、定着及び安定化処理する現像処理ユニット２０と、現像処理された感光材料Ｐに対して温風を吹き付けて乾燥処理する乾燥処理ユニット２３と、乾燥処理されて外部に排出された感光材料Ｐを写真プリントとしてオーダ毎に仕分ける仕分けユニット２６とを備えている。
【０００７】
前記仕分けユニット２６は、図７に示す如く、横送り部（移送部）２７と、集積部２８とを有する。横送り部２７と集積部２８は、共にベルトコンベアからなり、横送り部２７は、乾燥処理を終えた写真プリントが排出口２５から排出される際にその後端が検出センサ（図示しない）によって検出されると、所定時間（例えば約１秒）駆動するようになっている。従って、排出口２５から横送り部２７上に排出された写真プリントは、該横送り部２７によって横方向に搬送され、集積部２８上に排出される。一方、集積部２８は、１オーダ分の写真プリントを集積するまで駆動が停止しており、１オーダ分の写真プリントを集積し終えると、所定量だけ駆動するようになっている。従って、集積部２８上には、オーダ毎に写真プリントが仕分けられていくことになる（特許文献１参照）。
【特許文献１】特開２０００−７５４６３号公報
【発明の開示】
【発明が解決しようとする課題】
【０００８】
ところで、従来の写真処理装置においては、写真プリントが排出口２５から排出される度に横送り部２７が間欠的に駆動し、写真プリントを１枚毎に集積するようになっていた。より詳しくは、写真プリントが１枚排出口２５から排出されると、横送り部２７が前記所定時間駆動して該写真プリントを横方向へ搬送及び集積部２８へ排出した後、横送り部２７が駆動停止し、後続する次の写真プリントが１枚排出されると、再び横送り部２７が所定時間駆動して該写真プリントを横方向へ搬送及び集積部２８へ排出するというように、横送り部２７による写真プリントの横方向への搬送〜集積部２８への排出は、写真プリント１枚単位で行われていた。
【０００９】
しかしながら、より高い効率（写真プリントの生産効率）を得るため、前記振り分け搬送ユニット１０による振り分け順位第２位の感光材料の振り分けタイミングを早めて感光材料をより多く搬送経路上に詰め込むようにし、且つ左右２レーンの写真プリントを１つの組として排出口２５から排出し、横送り部２７による写真プリントの横方向への搬送〜集積部２８への排出を左右二枚の写真プリント単位で行うことが好ましい。
【００１０】
但し、近年、１３５サイズのフィルムでは、Ｌサイズとパノラマサイズとを混在させて写真処理するケースや、ＡＰＳフィルムでは、Ｃサイズ、Ｈサイズ及びＰサイズを混在させて写真処理するケースが増えてきており、このような変則的な写真処理の場合であっても問題なく高い効率（写真プリントの生産効率）を実現するためには、適切な振り分け制御が要求される。
【００１１】
そこで、本発明は、搬送方向における長さが同じ写真プリントを写真処理する場合であると、搬送方向における長さが異なる写真プリントを混在させて写真処理する場合であるとを問わず、振り分け列数に相当する枚数単位で写真プリントの仕分け処理が確実に可能となり、そのため、高い効率（写真プリントの生産効率）を実現することができる写真処理装置を提供することを課題とする。
【００１２】
尚、特許文献２は、搬送方向における長さが異なる複数サイズの感光材料を１列で順次に露光処理し、そのまま振り分け搬送を行うことにより、先行する感光材料と後続の感光材料との間で搬送方向における後端の位置関係に逆転現象が生じ、その結果、現像処理後に排出されて集積される写真プリントの順番が露光処理順（フィルムのコマ番号順）とならなくなることがある事態を防ぐための施策であって、本願発明とは、目的、技術思想が全く異なるものである。
【特許文献２】特開平８−３１４１１０号公報
【課題を解決するための手段】
【００１３】
本発明に係る写真処理装置は、感光材料を露光処理する露光処理部と、露光処理された感光材料を複数列に振り分ける振り分け部と、振り分けられた感光材料を並列搬送しつつ現像処理する現像処理部と、現像処理されて排出口から排出される感光材料を受け取って集積部に移送する移送部とを備える写真処理装置において、振り分け順位第１位の列における感光材料の後端がそれ以外の列における感光材料の後端よりも搬送方向で上流側に位置する場合、振り分け順位第１位の列において後続することとなる感光材料は、同列において先行する前記感光材料との間隔が所定の間隔となるよう振り分け制御される一方、振り分け順位第１位の列における感光材料の後端がそれ以外の列における感光材料の後端よりも搬送方向で下流側に位置する場合、振り分け順位第１位の列において後続することとなる感光材料は、後端が最も上流側に位置する列における感光材料に対して所定の重なり量となるよう振り分け制御されることを特徴とする。
【００１４】
上記構成は、振り分け順位第１位から振り分け順位最後位までの振り分け列数に相当する枚数の感光材料を１つの組として排出口から排出し、これらの感光材料（写真プリント）をまとめて集積部まで移送するメカニズムを実現する。
【００１５】
具体的には、搬送方向における長さが同じ写真プリントを写真処理する場合、振り分け順位第１位の列における感光材料の後端がそれ以外の列における感光材料の後端よりも搬送方向で下流側に位置する、即ち、振り分け順位第１位以外の列における感光材料の後端が振り分け順位第１位の列における感光材料の後端よりも上流側に位置することとなり、この場合、振り分け順位第１位の列において後続することとなる感光材料は、後端が最も上流側に位置する列における感光材料に対して所定の重なり量となるよう振り分け制御される。
【００１６】
一方、搬送方向における長さが異なる写真プリントを混在させて写真処理する場合は、前後の感光材料の長さの対応関係によって、振り分け順位第１位の列における感光材料の後端がそれ以外の列における感光材料の後端よりも搬送方向で下流側に位置する場合もあれば、振り分け順位第１位の列における感光材料の後端がそれ以外の列における感光材料の後端よりも搬送方向で上流側に位置する場合も生じ得る。前者の場合は、上述した搬送方向における長さが同じ写真プリントを写真処理する場合と同様となり、後者の場合、振り分け順位第１位の列において後続することとなる感光材料は、同列において先行する前記感光材料との間隔が所定の間隔となるよう振り分け制御される。
【００１７】
所定の重なり量となるよう振り分け制御される場合は、振り分け順位第１位の列における感光材料が最初に排出口から排出され、後端が最も上流側に位置する列における感光材料が最後に排出口から排出され、振り分け列数に相当する枚数の感光材料（写真プリント）が１つの組としてまとめて集積部まで移送される。この際、次の組の感光材料（写真プリント）が排出口から排出されつつある状態にあるかもしれないが、先の組の集積部までの移送が完了するまでは、次の組の感光材料が排出口から完全に排出されたり、あるいは排出されつつある感光材料が移送部と接触するような事態は起こらない。このため、次の組の感光材料も１つの組としてまとめて適切に処理することが可能となる。「所定の重なり量」とはこのような趣旨である。
【００１８】
一方、前後の感光材料の間隔が所定の間隔となるよう振り分け制御される場合は、振り分け順位第１位の列における感光材料が最後に排出口から排出され、同じく振り分け列数に相当する枚数の感光材料（写真プリント）が１つの組としてまとめて集積部まで移送される。この際、次の組の感光材料（写真プリント）が排出口から排出されつつある状態にあるかもしれないが、先の組の集積部までの移送が完了するまでは、次の組の感光材料が排出口から完全に排出されたり、あるいは排出されつつある感光材料が移送部と接触するような事態は起こらない。このため、次の組の感光材料も１つの組としてまとめて適切に処理することが可能となる。「所定の間隔」とはこのような趣旨である。
【００１９】
尚、振り分け順位第１位の列における感光材料の後端がそれ以外の列における感光材料の後端よりも搬送方向で上流側に位置する場合には、振り分け順位第１位の列における感光材料の後端とそれ以外の列における感光材料の後端とが揃う場合も含む趣旨である。
【００２０】
また、本発明に係る写真処理装置は、振り分け順位第１位以外の列において後続することとなる感光材料は、振り分け部が有する機能の範囲内での最短時間を以って振り分け制御される構成を採用することができる。
【００２１】
上記構成によれば、１つの組の搬送方向における長さ寸法が短く、即ち、搬送経路上での感光材料の集密度が増し、そのため、さらなる高い効率（写真プリントの生産効率）を実現することができる。
【発明の効果】
【００２２】
以上の如く、本発明によれば、搬送方向における長さが同じ写真プリントを写真処理する場合であると、搬送方向における長さが異なる写真プリントを混在させて写真処理する場合であるとを問わず、振り分け列数に相当する枚数単位で写真プリントの仕分け処理が確実に可能となり、そのため、高い効率（写真プリントの生産効率）を実現することができるようになる。
【発明を実施するための最良の形態】
【００２３】
以下、本発明の実施形態に係る写真処理装置について図面を参酌しつつ説明するが、全体構成は上記背景技術における記載と重複するので割愛し、振り分け搬送ユニット１０の説明から始める。
【００２４】
図１及び図２に示す如く、振り分け搬送ユニット１０は、裏面に水平方向に配置されたレール（図示しない）により引き出し可能な垂直に延びた板状の保持体１００と、該保持体１００の表面上に上下方向に移動可能に支持された一対の搬送体１０１と、各搬送体１０１上に水平方向に移動可能に支持された横行体１０２とを備えている。搬送体１０１については、保持体１００の中心軸を挟んで該保持体１００の引き出し方向に沿って一対が並設されている。横行体１０２についても同様に、保持体１００の中心軸を挟んで該保持体１００の引き出し方向に沿って一対が並設されている。
【００２５】
搬送体１０１は、保持体１００上に配置されたモータ１０３と、該モータ１０３の回転軸に巻き回された無端状の駆動ベルト１０４とによって、保持体１００上に配設された垂直ガイドレール１０５に沿って保持体１００の上端と下端との間を上下方向に往復移動することができる。一方、横行体１０２は、搬送体１０１上に配置されたモータ１０６と、該モータ１０６の回転軸に巻き回された無端状の駆動ベルト１０７とによって、搬送体１０１上に配設された水平ガイドレール１０８に沿って水平に往復移動することができる。
【００２６】
横行体１０２は、挟持手段としてのローラ対１０９（図８も参照）のうちの駆動ローラ１０９ａを軸支する基材１１０と、駆動ローラ１０９ａの軸１１１に外嵌されて垂直姿勢と水平姿勢との間で切替可能に傾動すると共に、常時は水平姿勢となるように付勢される第１部材１１２と、圧着ローラ１０９ｂを軸支し、且つ第１部材１１２に軸支されて駆動ローラ１０９ａの軸回りに傾動すると共に、常時は圧着ローラ１０９ｂが駆動ローラ１０９ａに圧着するように付勢される第２部材１１３とを備えている。
【００２７】
また、第１部材１１２及び第２部材１１３には、ローラ対１０９を表出可能な切欠部１１４ａを有し、露光処理を終えた感光材料Ｐをローラ対１０９間に案内するための一対のガイド板１１４，１１４が固定されている。
【００２８】
第１部材１１２は、ローラ対１０９が水平に並び、ガイド板１１４，１１４が垂直（保持体１００の面と平行）に延びる搬送姿勢と、ローラ対１０９が垂直に並び、ガイド板１１４，１１４が水平に延びる受取姿勢との間で傾動可能であるが、搬送姿勢から受取姿勢への切替えは、モータ１０６の駆動により中央側に移動した横行体１０２が搬送体１０１の下降に伴って下降する際、第１部材１１２が保持体１００の表面に固着された係止部材１１５に摺接し、該第１部材１１２が付勢に抗して垂直姿勢に傾動すると共に、第２部材１１３が保持体１００上に配置された作動レバー１１７の上端に当接し、該第２部材１１３が付勢に抗して上方に押し上げられ、圧着ローラ１０９ｂが駆動ローラ１０９ａから離間することによって行われる。
【００２９】
また、駆動ローラ１０９ａの軸１１１の他部位には、入力ギア１１６が固着されており、搬送体１０１が受取姿勢となった状態において、該入力ギア１１６が中間ギアを介して露光処理ユニット側の出力ギアと噛合することにより、露光処理ユニット側の搬送系（副走査用ローラ対８）と駆動ローラ１０９ａとが同期して駆動するものであり、その結果、露光処理に係る感光材料Ｐは、露光処理ユニット５から搬送体１０１のローラ対１０９間に円滑に移行し得るものとなる。
【００３０】
感光材料Ｐがローラ対１０９間に移行すると、モータ１０３が駆動して搬送体１０１は上昇を開始する。この際、第２部材１１３は、作動レバー１１７との当接が解除されることにより付勢によって元の位置に戻り、圧着ローラ１０９ｂが駆動ローラ１０９ａに圧着する。これによりローラ対１０９間の感光材料Ｐは、ローラ対１０９に挟持され、ローラ対１０９の移動に伴って搬送される。搬送体１０１が所定量だけ上昇すると、モータ１０６も駆動して横行体１０２が中心から離れる方向に横行を開始する。そのため、ローラ対１０９に挟持された感光材料Ｐは、最初の上昇移動から斜行移動に切り替わる。そして、横行体１０２の横行が完了すれば、再び上昇移動に切り替わる。
【００３１】
図２に示す如く、搬送体１０１の上端位置であって、各搬送体１０１のローラ対１０９と対向する位置には、搬送ローラ対１１８（図８も参照）が配置されている。搬送体１０１が上端に達すると、入力ギア１１６が中間ギアを介して搬送ローラ対１１８側のギアと噛合することにより、駆動ローラ１０９ａと搬送ローラ対１１８の駆動ローラとが同期して駆動するものであり、その結果、ローラ対１０９に挟持搬送された感光材料Ｐは、受渡位置で搬送ローラ対１１８間に送り込まれ、そこから現像処理ユニット２０へと搬送される。
【００３２】
図３は、前記振り分け搬送ユニット１０を用いた振り分け搬送の概念を説明するための図である。挟持手段としてのローラ対１０９が左右一対設けられていることは上述の如くであるが、一方（右側）のローラ対１０９は、（待機位置）→横行体１０２が中心側へ横行→搬送体１０１が下降→（受取位置）→搬送体１０１が上昇→搬送体１０１が上昇＋横行体１０２が外側へ横行→搬送体１０１が上昇→（受渡位置）→搬送体１０１が下降、を１サイクルとすることにより、ａ→（受取位置）→ｂ→（受渡位置）→ｃ→（待機位置）の移動を繰り返す。同様に、他方（左側）のローラ対１０９は、ａ’→（受取位置）→ｂ’→（受渡位置）→ｃ’→（待機位置）の移動を繰り返す。そして、左右のローラ対１０９，１０９が交互に受取位置と受渡位置との間を往復することによって、受取位置から１列に排出される感光材料Ｐが二つのレーン（第１レーン、第２レーン）に交互に振り分けて供給され、その結果、現像処理ユニット２０以降では並列搬送される。
【００３３】
図４は、振り分け搬送に係る内部構成図である。制御部１２０は、第１レーン（横送り部２７の送り方向側＝集積部２８に近い側のレーン）に係る計時手段としての第１タイマー１２１と、第２レーン（横送り部２７の送り方向の反対側＝集積部２８に遠い側のレーン）に係る計時手段としての第２タイマー１２２と、露光処理を終えた感光材料Ｐの搬送方向における長さに関する情報を露光処理ユニット５の制御部から取得してその露光処理順に記憶していく記憶部１２３と、演算手段としての演算部１２４と、演算部１２４の演算結果に基づいて第１レーンに対する感光材料Ｐの受け渡しを実行する第１駆動制御部１２５と、演算部１２４の演算結果に基づいて第２レーンに対する感光材料Ｐの受け渡しを実行する第２駆動制御部１２６とを備えている。
【００３４】
第１タイマー１２１は、右側のローラ対１０９が感光材料Ｐの受け渡しを開始した時点（具体的には、搬送体１０１が受渡位置に到達すると、ローラ対１０９が搬送ローラ対１１８と同期して駆動するから、搬送体１０１が受渡位置に到達した時点に等しい）からの経過時間を計時するものである。第２タイマー１２２は、左のローラ対１０９が感光材料Ｐの受け渡しを開始した時点からの経過時間を計時するものである。
【００３５】
演算部１２４は、第１タイマー１２１の計時に係る感光材料Ｐ（即ち、第１レーンに受け渡される感光材料Ｐ）の搬送方向における長さに関する情報を記憶部１２３から取得して、次式の演算を行う。
2006337467.tif 000003
また、演算部１２４は、第２タイマー１２２の計時に係る感光材料Ｐ（即ち、第２レーンに受け渡される感光材料Ｐ）の搬送方向における長さに関する情報を記憶部１２３から取得して、次式の演算を行う。
2006337467.tif 000004
また、演算部１２４は、第２レーンに受け渡される感光材料Ｐの搬送方向における長さに関する情報に基づいて、次式の演算を行う。
2006337467.tif 000005
【００３６】
第１駆動制御部１２５は、第２タイマー１２２の計時値がｔlane1/behindとなる時点で第１レーンに対する感光材料Ｐの受け渡しが開始されるよう、右側の搬送体１０１の受渡位置への到達タイミングを制御する（制御１）。一方、第２駆動制御部１２６は、最短時間で第２レーンに対する感光材料Ｐの受け渡しが開始されるよう、左側の搬送体１０１を最速で制御する（制御２）。
【００３７】
この制御１及び２によれば、後続する第１レーンの感光材料Ｐは、先行して既に振り分けられた第２レーンの感光材料Ｐと重なり量Ｂ（＝前記規定値Ｂ）を以て振り分けられる一方、後続する第２レーンの感光材料Ｐは、先行して既に振り分けられた第１レーンの感光材料Ｐよりも先端が搬送方向の上流側にずれた状態となって振り分けられる。
【００３８】
尚、第１駆動制御部１２５は、第１レーンにおいて次の感光材料Ｐの受け渡しを開始する時点で第１タイマー１２１をリセットすると同時に、新たに次の感光材料Ｐのための計時を開始するようになっており、第２駆動制御部１２６も、第２レーンにおいて次の感光材料Ｐの受け渡しを開始する時点で第２タイマー１２２をリセットすると同時に、新たに次の感光材料Ｐのための計時を開始するようになっている。
【００３９】
基本的な考え方は以上の通りである。但し、この方法によれば、同列において前後の感光材料Ｐ，Ｐが一部で重なり合ってしまうことがある。そのため、第１駆動制御部１２５は、第２タイマー１２２の計時値がｔlane1/behindとなる時点が第１タイマー１２１の計時値がｔlane1/aheadとなる時点よりも早い場合、該第１タイマー１２１の計時値がｔlane1/aheadとなる時点で第１レーンに対する感光材料Ｐの受け渡しが開始されるよう、右側の搬送体１０１の受渡位置への到達タイミングを制御する（制御３）。一方、第２駆動制御部１２６は、 前記制御２に基づいて搬送体１０１が受渡位置に到達すべき時点が第２タイマー１２２の計時値がｔlane2/aheadとなる時点よりも早い場合、該第２タイマー１２２の計時値がｔlane2/aheadとなる時点で第２レーンに対する感光材料Ｐの受け渡しが開始されるよう、左側の搬送体１０１の受渡位置への到達タイミングを制御する（制御４）。
【００４０】
この制御３及び４によれば、第１レーン及び第２レーンの何れにおいても、後続の感光材料Ｐ及び同列にて先行する感光材料Ｐの間隔は前記規定値Ａとなる。この規定値Ａは、最小間隔という意義を持ち、プロセッサ部Ｂにおいて、効率的な処理が行われる値である。本実施形態においては、規定値Ａは２４ｍｍである。
【００４１】
図５は、その具体例の説明図である。感光材料１〜６は、その順で露光処理がなされたもので、感光材料１，４，５，６は同じ長さサイズ（例えば８２．５ｍｍ）の感光材料であり、感光材料２，３は同じ長さサイズ（例えば１７８ｍｍ）の感光材料である。感光材料２の振り分けは、原則に従い、上記制御２による。感光材料３の振り分けは、原則に従い、上記制御１による。感光材料４の振り分けは、前記制御２に基づいて搬送体１０１が受渡位置に到達すべき時点が第２タイマー１２２の計時値がｔlane2/aheadとなる時点よりも早くなり、最小間隔を下回ることとなるため、上記制御４が採られる。感光材料５の振り分けは、第２タイマー１２２の計時値がｔlane1/behindとなる時点が第１タイマー１２１の計時値がｔlane1/aheadとなる時点よりも早くなり、やはり最小間隔を下回ることとなるため、上記制御３が採られる。感光材料６の振り分けは、原則に従い、制御２による。
【００４２】
以上のように、本実施形態に係る振り分け搬送方法によれば、図６（イ）〜（ロ）に示す如く、振り分け列数に相当する２枚の写真プリント（番号１及び２）が１つの組としてまとめて集積部２８まで移送される。この際、次の組の写真プリント（番号３）が排出口２５から排出されつつある状態にあるが、同図（ハ）に示す如く、先の組の集積部２８までの移送が完了するまでは、次の組の写真プリント（番号３あるいは４）が排出口２５から完全に排出されたり、垂れて横送り部２７と接触するような事態は起こらない。このため、 写真プリントを組単位でまとめて適切に仕分け処理することが可能となる。この点、規定値Ｂを大きくしていくと、上記事態が起こり得るので、規定値Ｂは、最大重なり量という意義を持つ。最大重なり量は、写真処理装置の構成によって変わる。横送り部２７の送り速度、横送り部２７から排出口２５までの高さ、横送り部２７に対する排出口２５の排出角度、搬送経路の構造等によって適宜設定される値を採る。
【００４３】
ところで、本実施形態においては、集積部２８に近い側の第１レーンを振り分け順位第１位のレーン（列）とし、集積部２８に遠い側の第２レーンを振り分け順位第２位のレーン（列）としている。このため、露光処理順（例えば、フィルムのコマ番号順）で写真プリントを集積していくことが可能となる（番号１→２、３→４、５→６）。従って、一枚単位で写真プリントを処理していた場合と比べて、高い効率（写真プリントの生産効率）を実現しつつ、適切に写真プリントを集積していくことができる。
【００４４】
尚、本発明は、上記実施形態に限定されるものではなく、本発明の要旨を逸脱しない範囲で種々の変更が可能である。
【００４５】
例えば、上記実施形態においては、二列並列搬送としているが、三列並列搬送であってもよく、列数は特に限定されない。
【００４６】
また、上記実施形態においては、左右交互に振り分けているが、これに限定されず、変則的であってもよい。例えば、右→左→左→右という具合で振り分けていっても、本発明の効果を奏することができる。
【００４７】
また、上記実施形態においては、振り分け順位第２位の感光材料に対し、最短時間で第２レーンに対する受け渡しが行われるよう、振り分け搬送ユニット１０における左側の搬送体１０１を最速で制御する制御２を基本としているが、必ずしも制御２を採らなければ、高い効率（写真プリントの生産効率）が得られないわけではなく、従って、本発明はこの制御２に限定されるものではない。
【００４８】
また、上記実施形態においては、ベルトコンベアからなる集積部２８を間欠送りすることにより、写真プリントをオーダ毎に仕分けるようにしているが、特開平９−１１８４６９号公報等に記載の如く、複数のトレイを有し、各トレイが間欠的に巡回する周知の仕分けユニットを採用するようにしてもよい。
【図面の簡単な説明】
【００４９】
【図１】本実施形態に係る振り分け搬送機構の要部斜視図を示す。
【図２】同実施形態に係る振り分け搬送機構の要部正面図を示す。
【図３】同実施形態に係る振り分け搬送機構の動作説明図を示す。
【図４】同実施形態に係る振り分け搬送機構の制御部におけるブロック図を示す。
【図５】同実施形態に係る振り分け搬送態様の説明図を示す。
【図６】同実施形態に係る仕分け態様の説明図であって、（イ）は、１組の写真プリントが排出口から排出され、横送り部上に落ちた状態、（ロ）は、横送り分が駆動して１組の写真プリントが移送される途中状態、（ハ）は、１組の写真プリントが集積部に集積され、移送が完了した状態、を示す。
【図７】写真処理装置の斜視図を示す。
【図８】写真処理装置の一部断面を含む側面図を示す。
【符号の説明】
【００５０】
Ａ…プリンタ部、Ｂ…プロセッサ部、Ｃ…連結部、Ｐ…感光材料、５…露光処理ユニット（露光処理部）、６…露光ヘッド、７…露光ポイント、８…副走査用ローラ対、１０…振り分け搬送ユニット、１０１…搬送体、１０２…横行体、１０９…ローラ対（挟持手段）、１２０…制御部、１２１…第１タイマー、１２２…第２タイマー、１２３…記憶部、１２４…演算部、１２５…第１駆動制御部、１２６…第２駆動制御部、２０…現像処理ユニット（現像処理部）、２５…排出口、２６…仕分けユニット、２７…横送り部（移送部）、２８…集積部
【図１】
2006337467.tif 000006
【図２】
2006337467.tif 000007
【図３】
2006337467.tif 000008
【図４】
2006337467.tif 000009
【図５】
2006337467.tif 000010
【図６】
2006337467.tif 000011
【図７】
2006337467.tif 000012
【図８】
2006337467.tif 000013